(57)【要約】【課題】  インプラント窩の状態を視認できない場合であっても、インプラント窩の深さを容易かつ確実に確認する。【解決手段】  インプラント窩チェック用器具１は、インプラント窩に挿入される部材であって、当該インプラント窩の形状に応じた形状の基端面１１ａを有すると共に、当該基端面１１ａからの長さが当該インプラント窩に埋植されるフィクスチャの軸方向の長さに応じた長さである挿入部１１と、挿入部１１の基端面１１ａから当該挿入部の長さ方向に延びる棒状の軸部１２とを備える。【選択図】  図１
2019088549.tif 000002
【特許請求の範囲】
【請求項１】
インプラント窩に挿入される部材であって、当該インプラント窩の形状に応じた形状の基端面を有すると共に、当該基端面からの長さが当該インプラント窩に埋植されるフィクスチャの軸方向の長さに応じた長さである挿入部と、
前記挿入部の基端面から当該挿入部の長さ方向に延びる棒状の軸部と、
を備えるインプラント窩チェック用器具。
【請求項２】
前記挿入部は、前記フィクスチャの軸方向の長さに応じた長さの柱状の部材である請求項１に記載のインプラント窩チェック用器具。
【請求項３】
前記挿入部及び前記軸部は、チタン製である請求項１又は２に記載のインプラント窩チェック用器具。
【請求項４】
前記基端面よりも大きい形状であると共に患者の歯肉に接触する接触面を有し、当該接触面に前記軸部を挿抜することが可能な孔が設けられた長さ計測用部材を更に備える請求項１〜３の何れか一項に記載のインプラント窩チェック用器具。
【請求項５】
前記軸部には、目盛りが設けられている請求項４に記載のインプラント窩チェック用器具。
【請求項６】
前記長さ計測用部材は、透明な部材で構成されている請求項４又は５に記載のインプラント窩チェック用器具。
【請求項７】
前記軸部には、紐状の部材を通すことが可能な孔が設けられている請求項１〜６の何れか一項に記載のインプラント窩チェック用器具。
【請求項８】
前記挿入部には、ドリル刃が設けられている請求項１〜７の何れか一項に記載のインプラント窩チェック用器具。
【発明の詳細な説明】
【技術分野】
【０００１】
本発明は、形成したインプラント窩のチェックに用いられるインプラント窩チェック用器具に関する。
【背景技術】
【０００２】
従来から、歯科治療において、インプラント治療が知られている（例えば、特許文献１参照）。インプラント治療の方法としては、例えば、歯肉の切開剥離手術が二回必要な二回法、一回で済ませる一回法、歯肉の切開、剥離及び縫合を必要としないフラップレス法がある。
【先行技術文献】
【特許文献】
【０００３】
【特許文献１】特開２０１０−１３６９４４号公報
【発明の概要】
【発明が解決しようとする課題】
【０００４】
フラップレス法は歯肉の切開、剥離及び縫合を必要としないため、一回法及び二回法等と比べて患者の身体的負担が圧倒的に少ない。しかしながら、フィクスチャを埋植するための穴であるインプラント窩を、歯肉の切開をせず顎骨の形態を目視で確認できない条件下で形成するため、顎骨に形成されたインプラント窩の深さを直接目で見て確認することが困難である。従って、適切な深さのインプラント窩を形成できず、想定よりも浅いインプラント窩を形成してしまう可能性が生じる。
【０００５】
インプラント窩が浅いとフィクスチャを顎骨に完全に埋植することができず、その結果、フィクスチャを顎骨にしっかりと結合させることができなくなる。その場合、埋植されるフィクスチャ、引いては、フィクスチャに装着されるアバットメント及び人工歯が、ぐらついたり、顎骨から脱落してしまったりすることがある。
【０００６】
本発明は、上記に鑑みてなされたものであり、インプラント窩の状態を視認できない場合であっても、インプラント窩の深さを容易かつ確実に確認することができるインプラント窩チェック用器具を提供することを目的とする。
【課題を解決するための手段】
【０００７】
上記目的を達成するために、本発明に係るインプラント窩チェック用器具は、インプラント窩に挿入される部材であって、当該インプラント窩の形状に応じた形状の基端面を有すると共に、当該基端面からの長さが当該インプラント窩に埋植されるフィクスチャの軸方向の長さに応じた長さである挿入部と、挿入部の基端面から当該挿入部の長さ方向に延びる棒状の軸部と、を備える。
【０００８】
本発明に係るインプラント窩チェック用器具は、以下のように用いられる。患者の顎骨に形成されたインプラント窩に挿入部が挿入される。このとき、挿入部が突き当たるまで挿入される。この状態で、探針等によって基端面の外縁周辺の状態が確認されることで、インプラント窩の深さを確認することができる。従って、本発明に係るインプラント窩チェック用器具によれば、インプラント窩の状態を視認できない場合であっても、インプラント窩の深さを容易かつ確実に確認することができる。
【０００９】
挿入部は、フィクスチャの軸方向の長さに応じた長さの柱状の部材であることとしてもよい。この構成によれば、容易かつ確実に挿入部を構成することができ、容易かつ確実に本発明を実施することができる。
【００１０】
挿入部及び軸部は、チタン製であることとしてもよい。チタンは十分な硬度を有し、かつその硬度は骨や歯肉とは異なる。従って、挿入部と顎骨との境界を明確に認識することができる。また、チタンはアレルギー反応を起こしにくい素材であるため、骨及び歯肉に触れても患者に害を及ぼす可能性が低い。従って、適切にインプラント窩の深さを確認することができる。
【００１１】
インプラント窩チェック用器具は、基端面よりも大きい形状であると共に患者の歯肉に接触する接触面を有し、当該接触面に軸部を挿抜することが可能な孔が設けられた長さ計測用部材を更に備えることとしてもよい。この構成によれば、インプラント窩の底から歯肉の上部までの長さを計測することができる。その結果、フィクスチャと嵌合されるアバットメントについて、適切な長さのものを準備することができる。
【００１２】
軸部には、目盛りが設けられていることとしてもよい。この構成によれば、目盛りから、患者のインプラント窩の底から歯肉の上部までの長さを読み取ることができる。これにより、容易に当該長さを計測することができる。
【００１３】
長さ計測用部材は、透明な部材で構成されていることとしてもよい。この構成によれば、長さ計測用部材の接触面が、歯肉に接触したか否かを容易に判別することができる。これにより、適切にインプラント窩の底から患者の歯肉までの長さを計測することができる。
【００１４】
軸部には、紐状の部材を通すことが可能な孔が設けられていることとしてもよい。この構成によれば、本器具を患者が誤って飲み込んでしまうことを防止することができる。
【００１５】
挿入部には、ドリル刃が設けられていることとしてもよい。この構成によれば、インプラント窩を形成すると共に、形成したインプラント窩の深さを確認することができる。
【発明の効果】
【００１６】
本発明によれば、インプラント窩の状態を視認できない場合であっても、インプラント窩の深さを容易かつ確実に確認することができる。
【図面の簡単な説明】
【００１７】
【図１】本発明の実施形態に係るインプラント窩チェック用器具の斜視図である。
【図２】本発明の実施形態に係るインプラント窩チェック用器具の側面図である。
【図３】実施形態に係るインプラント窩チェック用器具を用いてインプラント窩のチェックを行う際の状態を示す断面図である。
【図４】実施形態に係るインプラント窩チェック用器具を用いてインプラント窩の底から歯肉の上部までの長さを計測する際の状態を示す断面図である。
【図５】本発明の実施形態に係るインプラント窩チェック用器具の変形例の側面図である。
【発明を実施するための形態】
【００１８】
以下、図面と共に本発明に係るインプラント窩チェック用器具の実施形態について詳細に説明する。なお、図面の説明においては同一要素には同一符号を付し、重複する説明を省略する。また、図面の寸法比率は、説明のものと必ずしも一致していない。
【００１９】
図１は、本実施形態に係るインプラント窩チェック用器具１の斜視図である。以下、本実施形態に係るインプラント窩チェック用器具１を本器具１と呼ぶ。図２は、本器具１の側面図である。上述したようにインプラント窩の深さは、フィクスチャを埋植するのに十分である必要がある。本器具１は、インプラント治療の際に形成されたインプラント窩の深さが十分なものであるかを確認するためのものである。インプラント窩の深さを確認するために、本器具１はインプラント窩に挿入される。本器具１のインプラント窩への挿入は、フィクスチャのインプラント窩への埋植のシミュレーションと捉えることもできる。即ち、本器具１は、インプラントシミュレータ、あるいはフィクスチャの埋植補助器具とも捉えることができる。
【００２０】
本器具１を用いたインプラント窩の深さの確認では、インプラント窩の深さを直接目で見て確認する必要がない。そのため、歯肉の切開をせずにインプラント窩を形成するフラップレス法によってインプラント治療が行われる際に特に有用である。但し、フラップレス法以外のインプラント治療の場合にも、本器具１が用いられてもよい。
【００２１】
図１及び図２に示すように、本器具１は、本体部１０と、長さ計測用部材２０と備えて構成される。本体部１０は、挿入部１１と、軸部１２とを備えて構成される。
【００２２】
挿入部１１は、インプラント窩に挿入される部材である。挿入部１１の形状は、インプラント窩に収まる形状であり、図１及び図２に示されるように予め設定された長さの柱形状である。挿入部１１は、インプラント窩に挿入される先端に対する基端面１１ａを有する。基端面１１ａの形状は、これから形成されるインプラント窩の形状に応じて予め設定された形状である。
【００２３】
具体的には、基端面１１ａの形状は、挿入部１１がインプラント窩に挿入されて突き当たった際、基端面１１ａの外縁（外周）が全周に亘ってインプラント窩の側面に接する形状とされる。例えば、基端面１１ａの形状は、インプラント窩の軸方向と垂直な面での形状、即ち、インプラント窩を軸方向から見た場合の形状と同じ形状である。インプラント窩の上記の形状は、通常、円形であるため、基端面１１ａは円形とされる。基端面１１ａの大きさである直径は、インプラント窩の底（フィクスチャ又は本器具１が挿入されて突き当たる位置）から挿入部１１の軸方向の高さでの位置でのインプラント窩の直径と同じとされ、例えば、３〜４ｍｍとされる。基端面１１ａの直径は、インプラント窩に挿入されることを考慮して、インプラント窩の上記の直径よりもごくわずかに小さくすることとしてもよい。なお、基端面１１ａの形状は、インプラント窩の形状に応じたもの、かつインプラント窩の深さのチェックが可能なものであれば、上記以外の形状であってもよい。
【００２４】
挿入部１１の軸方向の高さ（長さ）、即ち、基端面１１ａから先端までの長さは、インプラント窩に埋植されるフィクスチャの軸方向の長さに応じて予め設定された長さである。例えば、当該長さはフィクスチャの軸方向の長さと同じとされ、４ｍｍとされる。なお、挿入部１１の当該長さは、必ずしもフィクスチャの軸方向の長さと同じにされる必要はなく、フィクスチャの軸方向の長さよりもわずかに大きく、あるいは小さくしてもよい。
【００２５】
インプラント窩の形状が、底から徐々に径が大きくなるものであった場合等には、挿入部１１の形状は、インプラント窩の形状にあわせて、図１及び図２に示されるように基端面１１ａから先端に向かって径が小さくなる円錐台形状（テーパーがつけられた円柱形状）になっていてもよい。あるいは、インプラント窩の径が軸方向に亘って一定のものであった場合等には、挿入部１１の円柱形状は、軸方向に亘って径が一定の大きさの円柱形状であってもよい。また、挿入部１１は、基端面１１ａの形状と軸方向の長さとが上記を満たし、インプラント窩に挿入可能な形状であれば、上記以外の形状であってもよい。
【００２６】
軸部１２は、挿入部１１がインプラント窩に挿入される際に歯科医師等の操作者の指又は冶具等によって把持される部材である。軸部１２は、挿入部１１の基端面１１ａから当該挿入部１１の長さ方向に延びる棒状、具体的には細長い円柱状の部材である。軸部１２は、基端面１１ａの中心から延びており、軸部１２の軸線と挿入部１１の軸線とが同一になっている。軸部１２の直径は、挿入部１１の基端面１１ａの直径よりも小さくされている。軸部１２の軸方向の長さは、操作者又は冶具等によって把持可能で挿入部１１がインプラント窩に挿入された際に患者の口内に収まることができる程度とする。例えば、軸部１２の軸方向の長さは、２０ｍｍ程度とされる。
【００２７】
軸部１２には、目盛り１２ａが設けられている。目盛り１２ａは、長さ計測用部材２０とあわせて、インプラント窩の底から歯肉の上部までの長さを計測するためのものである。例えば、図１及び図２に示されるように基端面１１ａから２．５ｍｍ、４．５ｍｍ、６．５ｍｍの位置に１ｍｍ幅で３つの目盛り１２ａが設けられる。
【００２８】
軸部１２には、紐状の部材を通すことが可能な孔（貫通孔）１２ｂが設けられている。例えば、孔１２ｂは、挿入部１１側とは逆側の端部に設けられる。孔１２ｂに糸を通しておき、操作者が作業時に通した糸の端部を指に巻いておくことで、本器具１を患者が誤って飲み込んでしまうことを防ぐことができる。
【００２９】
軸部１２には、ペリオテストを行う際の目印となるレーザーマーク１２ｃが設けられる。レーザーマーク１２ｃは、ペリオテストを行うのに適切な位置、例えば、孔１２ｂよりもわずかに挿入部１１側の位置に設けられる。
【００３０】
挿入部１１と軸部１２とは、一体形成されていてもよい。挿入部１１及び軸部１２は、例えば、チタン製である。但し、挿入部１１及び軸部１２は、チタン以外の材料によって構成されていてもよい。
【００３１】
長さ計測用部材２０は、インプラント窩の底から歯肉の上部までの長さを計測するための部材である。長さ計測用部材２０は、挿入部１１の基端面１１ａよりも大きい形状であると共に患者の歯肉に接触する接触面２０ｂを有している。長さ計測用部材２０は、当該接触面に軸部１２を挿抜することが可能な孔２０ａが設けられている。
【００３２】
例えば、長さ計測用部材２０は、図１及び図２に示すように、中央に孔（貫通孔）２０ａが設けられた円板形状の部材である。即ち、長さ計測用部材２０は、フランジ状の部材である。長さ計測用部材２０の外径である直径は、挿入部１１の直径、即ち、インプラント窩の直径よりも数ｍｍ程度大きくなっている。即ち、軸部１２に挿し込まれた際の長さ計測用部材２０の挿入部１１側の面である接触面２０ｂは、基端面１１ａよりも大きい形状となっている。軸部１２に挿し込まれた際の接触面２０ｂは、軸部１２の軸方向と垂直になっている。
【００３３】
長さ計測用部材２０の軸部１２が挿抜される孔２０ａは、以下のように構成される。長さ計測用部材２０は、軸部１２が挿し込まれた状態で軸部１２の軸方向に移動することができる。軸部１２に対する長さ計測用部材２０の移動は、軸部１２が固定されて、長さ計測用部材２０を指で動かす等、長さ計測用部材２０に力が加えられると行われる。長さ計測用部材２０の孔２０ａに軸部１２が挿入されており、長さ計測用部材２０に力が加えられていない場合、当該孔２０ａと軸部１２の表面との摩擦力で軸部１２に対して長さ計測用部材２０は移動しない。即ち、長さ計測用部材２０は、軸部１２に対して摩擦係止が可能になっている。
【００３４】
長さ計測用部材２０は、ポリカーボネート樹脂等の透明な部材で構成されている。また、長さ計測用部材２０は、互いに異なる大きさの外径のものを複数用意しておき、患者の術野の状態に応じたものを用いることとしてもよい。例えば、歯肉がインプラント窩を形成する位置を中心に広い範囲にある場合には、大きい外径のものを用いることとしてもよい。以上が、本器具１の構成である。
【００３５】
引き続いて、図３及び図４を用いて、本器具１を使用する方法を説明する。図３及び図４は、インプラント窩Ｆの断面図である。まず、例えば、ドリル等によって患者の顎骨Ｂにインプラント窩Ｆを形成する。インプラント窩Ｆの形成は、例えば、フラップレス法によって行われる。即ち、歯肉Ｇを貫通し顎骨Ｂ内に達する穴をインプラント窩Ｆとして開ける。続いて、図３に示すように、操作者が、形成されたインプラント窩Ｆに本器具１の挿入部１１を挿入する。このとき、操作者は、挿入部１１が突き当たるまで挿入部１１をインプラント窩Ｆに深く挿し込む。図３に示すように、インプラント窩Ｆの形状によっては、挿入部１１がインプラント窩Ｆに突き当たった際、挿入部１１の先端とインプラント窩Ｆとの間に隙間ができてもよい。
【００３６】
続いて、先端が細長くとがったもの、例えば、歯科器具である探針（プローブ）Ｐを用意する。操作者は、探針Ｐの先端をインプラント窩Ｆに挿し込み、探針Ｐの先端によって、インプラント窩Ｆの内部の側面のうち、挿入部１１の基端面１１ａ近傍の部分（図３において挿入部１１の基端面１１ａからわずかに上の部分）をつつく。探針Ｐでつついたときの探針Ｐの先端から伝わる感触を頼りに、操作者は挿入部１１の基端面１１ａと顎骨Ｂとの境界を確認する。
【００３７】
図３（ａ）に示すように、挿入部１１がインプラント窩Ｆの顎骨Ｂの部分に完全に収容されていれば、インプラント窩Ｆの内部の側面のうち、挿入部１１の基端面１１ａ近傍の部分は顎骨Ｂである。従って、探針Ｐの先端から伝わる感触が顎骨Ｂに係るものであれば、即ち、先端に骨の壁を感じれば、挿入部１１がインプラント窩Ｆの顎骨Ｂの部分に完全に収容されていることになる。
【００３８】
挿入部１１の基端面１１ａの外縁の全周に亘って上記の探針Ｐによるチェックを行う。当該全周に亘って、骨の壁を感じれば、挿入部１１全体がインプラント窩Ｆの顎骨Ｂの部分に完全に収容されていることになる。上述したように挿入部１１の軸方向の長さは、フィクスチャの軸方向の長さに応じたものである。従って、この場合、インプラント窩Ｆの深さはフィクスチャを埋植するのに十分であると確認される。なお、フィクスチャの軸方向の長さが４ｍｍとすると、顎骨Ｂに形成されたインプラント窩Ｆの深さ、即ち、インプラント窩Ｆの底から顎骨Ｂの上部までの長さは、４．５〜５ｍｍ程度とすることが望ましい。
【００３９】
一方で、図３（ｂ）に示すように、挿入部１１がインプラント窩Ｆの顎骨Ｂの部分に完全に収容されておらず、歯肉Ｇの部分に露出していたら、インプラント窩Ｆの内部の側面のうち、挿入部１１の基端面１１ａ近傍の部分は歯肉Ｇである。従って、探針Ｐの先端から伝わる感触が歯肉Ｇに係るものであれば、即ち、先端が挿入部１１の基端面１１ａの外側にずるりと滑り落ちる感覚があれば、挿入部１１がインプラント窩Ｆの顎骨Ｂの部分から歯肉Ｇの部分に露出していることになる。
【００４０】
この場合、インプラント窩Ｆが浅く、インプラント窩Ｆの深さはフィクスチャを埋植するのに十分ではない。そのため、ドリル等によってインプラント窩Ｆを更に深くする。再度、本器具１及び探針Ｐによるチェックを行い、インプラント窩Ｆの深さがフィクスチャを埋植するのに十分であると確認されるまで、ドリル等によるインプラント窩Ｆの形成と本器具１及び探針Ｐによるチェックとを繰り返す。
【００４１】
なお、図３（ｃ）に示すように、顎骨Ｂが傾斜している部分にインプラント窩Ｆを形成した場合には、骨の壁を感じられる部分（図３（ｃ）の例では左側の探針Ｐが突いている部分）と、骨の壁を感じられない部分（図３（ｃ）の例では右側の探針Ｐが突いている部分）とが混在することとなる。そのため、上述したように、挿入部１１の基端面１１ａの外縁の全周に亘る探針Ｐによるチェックが必要となる。
【００４２】
続いて、図４に示すように、操作者は、軸部１２に取り付けられた長さ計測用部材２０を、接触面２０ｂが歯肉Ｇに接触するまで歯肉Ｇの方向に動かす。なお、長さ計測用部材２０は、この段階で軸部１２に取り付けられることとしてもよい。また、操作者は、長さ計測用部材２０によって歯肉Ｇが圧迫されるようにする、即ち、長さ計測用部材２０を歯肉Ｇ方向に押し込む。歯肉は柔らかいため、長さ計測用部材２０に圧迫されると血流障害で白くなる（貧血帯）。上述したように長さ計測用部材２０を透明な部材で構成したとすると、接触面２０ｂとは反対側から、長さ計測用部材２０が接触した歯肉Ｇの部分を視覚的に確認することができる。上記の血流障害が生じていることを確認することで、長さ計測用部材２０が歯肉Ｇに接触しているか否かを容易に確認することができる。
【００４３】
続いて、操作者は、軸部１２に対する長さ計測用部材２０の位置を動かさないようにして、本器具１をインプラント窩Ｆから引き抜く。操作者は、軸部１２に対する長さ計測用部材２０の接触面２０ｂの位置を読み取る。この位置の読み取りは、例えば、軸部１２に設けられた目盛り１２ａを用いて行ってもよい。挿入部１１の先端から長さ計測用部材２０の接触面２０ｂの位置までの長さは、インプラント窩Ｆの底から歯肉の上部までの長さに相当する。このように、インプラント窩Ｆの底から歯肉Ｇの上部までの長さが計測される。計測された長さに応じて、患者に装着するアバットメントとして適切な長さのアバットメントを選択することができる。
【００４４】
なお、軸部１２に設けられた孔１２ｂに糸を通しておき、操作者が上記の作業時に通した糸の端部を指に巻いておく。これによって、患者が本器具１を誤飲することを防止することができる。
【００４５】
以降は、通常のフラップレス法と同様の処置（フィクスチャの埋植及びアバットメントの装着）を行う。
【００４６】
インプラント窩Ｆの深さがフィクスチャを埋植するのに十分であると確認された後に本器具１は以下のように用いられてもよい。例えば、本器具１をペリオテストに用いることとしてもよい。インプラント窩Ｆに本器具１を挿入した状態で、軸部１２に設けられたレーザーマーク１２ｃの位置を叩くことでペリオテストを行う。本器具１を用いてペリオテストを行うことで、フィクスチャを埋植する前にインプラント窩Ｆが適切なものかを判断することができる。ペリオテストの結果に応じて、更にインプラント窩Ｆを深くする等の対処をすることができる。また、叩く位置を一定の位置にすることで適切なペリオテストを行うことができる。
【００４７】
また、複数のインプラント窩Ｆを形成する場合に、２つ目以降のインプラント窩Ｆを形成する際に、既に形成したインプラント窩Ｆに本器具１を挿入しておく。２つ目以降のインプラント窩Ｆを形成する際に、軸部１２の軸方向を参照しながら、形成するインプラント窩Ｆの軸方向が軸部１２の軸方向と平行になるようにする。即ち、インプラント窩Ｆに挿入された本器具１が、２つ目以降のインプラント窩Ｆを形成する際のガイドとなる。これによって、２つ目以降のインプラント窩Ｆを適切な軸方向で形成する、即ち、既に形成したインプラント窩Ｆの軸方向と平行に形成することができる。以上が、本器具１を使用する方法である。
【００４８】
上述したように本実施形態によれば、例えば、フラップレス法による施術を行う場合のような、インプラント窩の状態を視認できない場合であっても、即ち、明視野ではない術野であっても、インプラント窩Ｆの深さを容易かつ確実に確認することができる。これによって、フィクスチャを安全かつ確実にインプラント窩Ｆに埋植することができる。
【００４９】
また、本器具１は、ペリオテスト、あるいは複数のインプラント窩Ｆを形成する際のガイドにも用いることができる。本器具１を用いることで、インプラント治療をより適切に行うことができる。
【００５０】
また、本実施形態のように挿入部１１を柱状にすることとしてもよい。この構成によれば、容易かつ確実に挿入部１１を構成することができ、容易かつ確実に本発明を実施することができる。但し、挿入部１１を必ずしも柱状にする必要はなく、上述した条件を満たす形状であればどのような形状を採用してもよい。
【００５１】
また、本実施形態のように本器具１の本体部１０（挿入部１１及び軸部１２）は、チタン製であることとしてもよい。チタンは十分な硬度を有し、かつその硬度は骨や歯肉とは異なる。従って、挿入部１１と顎骨Ｂとの境界を明確に認識することができる。また、チタンはアレルギー反応を起こしにくい素材であるため、骨及び歯肉Ｇに触れても患者に害を及ぼす可能性が低い。従って、適切にインプラント窩Ｆの深さを確認することができる。但し、本体部１０を必ずしもチタン製とする必要はなく、他の素材によって構成されていてもよい。
【００５２】
また、本実施形態のように本器具１は、長さ計測用部材２０を更に備える構成とすることとしてもよい。この構成によれば、インプラント窩Ｆの底から歯肉Ｇの上部までの長さを計測することができる。その結果、フィクスチャと嵌合されるアバットメントについて、適切な長さのものを準備することができる。また、上述したように異なる外径の大きさの複数のバリエーションの長さ計測用部材２０を容易しておくことで、患者の術野の状態に応じて適切に上記の長さを計測することができる。但し、必ずしも、本器具１は、長さ計測用部材２０が備えられている必要はない。
【００５３】
また、本実施形態のように、軸部１２に目盛り１２ａを設けておき、長さ計測用部材２０を用いて長さを計測することとしてもよい。この構成によれば、目盛りから、患者のインプラント窩Ｆの底から歯肉Ｇの上部までの長さを読み取ることができる。これにより、容易に当該長さを計測することができる。但し、軸部１２に目盛り１２ａを設けずに、軸部１２の目盛り１２ａ以外の方法で長さを計測してもよい。
【００５４】
また、本実施形態のように、長さ計測用部材２０は、透明な部材で構成されていることとしてもよい。この構成によれば、長さ計測用部材２０の接触面２０ｂが、歯肉に接触したか否かを容易に判別することができる。これにより、適切にインプラント窩Ｆの底から患者の歯肉までの長さを計測することができる。但し、長さ計測用部材２０は、必ずしも透明な部材で構成されている必要はなく、他の素材によって構成されていてもよい。
【００５５】
また、本実施形態のように、本器具１について誤飲防止のための構成を取ることとしてもよい。
【００５６】
引き続いて、本実施形態の変形例を説明する。図５に示すように、本体部１１０の挿入部１１１に、インプラント窩Ｆを形成するためのドリル刃が設けられている構成としてもよい。この場合、本体部１１０の軸部１１２の挿入部１１側とは逆側の端部は、コントラアングルハンドピースと接続できるようにしておき、挿入部１１１のドリル刃を回転できるようにする。この構成によれば、本器具によって、インプラント窩Ｆを形成すると共に、形成したインプラント窩Ｆの深さを確認することができる。即ち、本器具をインプラント窩Ｆの形成ツールとしても利用することができる。
【符号の説明】
【００５７】
１…インプラント窩チェック用器具、１０，１１０…本体部、１１，１１１…挿入部、１２，１１２…軸部、２０…長さ計測用部材。
【図１】
2019088549.tif 000003
【図２】
2019088549.tif 000004
【図３】
2019088549.tif 000005
【図４】
2019088549.tif 000006
【図５】
2019088549.tif 000007